(57)【要約】【課題】冷蔵庫等の食料品貯蔵室に収容された食料品から作ることができる献立を提案することができる献立提案装置、献立提案システム、およびその献立提案方法を提供すること。【解決手段】冷蔵庫１は、無線タグが貼着された食料品を収容する食料品貯蔵室１０と、食料品貯蔵室１０内の無線タグとの無線通信により、食料品貯蔵室１０に収容された各食料品の食料品情報を受信する無線タグ読取部２０と、献立ごとに、食材として必要な食料品が登録された献立データベース３１を参照して、受信した食料品情報の食料品から作ることができる献立を判定する献立判定部３２と、作ることができると判定された献立を表示部４０に表示させる献立通知部３３と、を備えている。【選択図】図１
2009259015.tif 000002
【特許請求の範囲】
【請求項１】
食料品情報を記憶する無線タグがそれぞれに貼着された、１または複数の食料品を収容する収容庫と、
食材として必要となる食料品が献立ごとに登録されたデータベースと、
前記収容庫内の無線タグとの無線通信により、前記収容された各食料品の食料品情報を読み取る読取部と、
前記データベースを参照して、前記読み取った食料品情報の食料品を用いて作ることができる献立を判定する判定部と、
作ることができると判定された献立を通知する通知部と、を備えることを特徴とする献立提案装置。
【請求項２】
請求項１に記載の献立提案装置において、
前記通知部は、作ることができると判定された献立の食材となる食料品をさらに通知することを特徴とする献立提案装置。
【請求項３】
請求項２に記載の献立提案装置において、
献立の選択操作を受けるための操作部をさらに備え、
前記通知部は、
前記判定部により複数の献立を作ることができると判定された場合に、前記複数の献立を通知し、
前記操作部への操作により、前記複数の献立からいずれかの献立が選択された場合、前記選択された献立の食材となる食料品を通知することを特徴とする献立提案装置。
【請求項４】
請求項２または３に記載の献立提案装置において、
前記通知部は、前記作ることができる献立の食材となる食料品について、前記収容庫内における収容場所を通知することを特徴とする献立提案装置。
【請求項５】
食料品情報を記憶する無線タグがそれぞれに貼着された、１または複数の食料品を収容する収容庫と、前記収容庫とデータ通信可能な献立提案装置とを備えた献立提案システムであって、
前記収容庫は、
前記収容庫内の無線タグとの無線通信により、前記収容された各食料品の食料品情報を読み取る読取部と、
前記食料品情報を送信する送信部とを備え、
前記献立提案装置は、
前記食料品情報を受信する受信部と、
食材として必要となる食料品が献立ごとに登録されたデータベースと、
前記データベースを参照して、前記読み取った食料品情報の食料品を用いて作ることができる献立を判定する判定部と、
作ることができると判定された献立を通知する通知部と、を備えることを特徴とする献立提案システム。
【請求項６】
収容庫に収容された１または複数の食料品から作ることができる献立を提案する献立提案方法であって、
前記１または複数の食料品のそれぞれには、食料品情報を記憶する無線タグが貼着されており、
前記収容庫内の無線タグとの無線通信により、前記収容された各食料品の食料品情報を読み取る読取ステップと、
食材として必要となる食料品が献立ごとに登録されたデータベースを参照して、前記読み取った食料品情報の食料品を用いて作ることができる献立を判定する判定ステップと、
作ることができると判定された献立を通知する通知ステップと、を備えることを特徴とする献立提案方法。
【発明の詳細な説明】
【技術分野】
【０００１】
本発明は、冷蔵室や冷凍室等に収容された食料品を用いて作ることができる献立を提案する献立提案装置、献立提案システム、および献立提案方法に関する。
【背景技術】
【０００２】
従来、ユーザーが冷蔵庫の貯蔵室に食料品を収容しようとする際に、食料品に添付されたバーコードをバーコードリーダで読み取ることによって冷蔵庫内の食料品を管理するとともに、所定のデータベースを参照して、冷蔵庫内の食料品から作ることができる献立を提案する技術が知られている（例えば、特許文献１参照）。
【０００３】
【特許文献１】特開２００２−２０７８６８号公報
【発明の開示】
【発明が解決しようとする課題】
【０００４】
しかしながら、特許文献１に記載の技術では、冷蔵庫に新たな食料品を収容するたびに、食料品に添付されたバーコードをバーコードリーダで読み取る作業が必要であるため、ユーザーにとって煩わしいという課題があった。
【課題を解決するための手段】
【０００５】
本発明は、上述の課題の少なくとも一部を解決するためになされたものであり、以下の形態または適用例として実現することが可能である。
【０００６】
［適用例１］食料品情報を記憶する無線タグがそれぞれに貼着された、１または複数の食料品を収容する収容庫と、食材として必要となる食料品が献立ごとに登録されたデータベースと、前記収容庫内の無線タグとの無線通信により、前記収容された各食料品の食料品情報を読み取る読取部と、前記データベースを参照して、前記読み取った食料品情報の食料品を用いて作ることができる献立を判定する判定部と、作ることができると判定された献立を通知する通知部と、を備えることを特徴とする献立提案装置。
【０００７】
この構成によれば、献立提案装置内の無線タグとの無線通信により、献立提案装置に収容された各食料品の食料品情報を得るようになっているため、バーコードリーダの読み取りなどの煩わしい作業をユーザーが行うことなく、献立提案装置内の食料品から作ることができる献立を判定して通知することができる。したがって、ユーザーは、献立提案装置からの献立の提案を簡単に受けることができる。
【０００８】
［適用例２］上記献立提案装置において、前記通知部は、作ることができると判定された献立の食材となる食料品をさらに通知することを特徴とする献立提案装置。
【０００９】
この構成によれば、提案された献立に必要な食料品が通知されるので、ユーザーは、提案された献立に必要な食料品を簡単に知ることができ、ユーザーにとっての利便性がさらに向上する。
【００１０】
［適用例３］上記献立提案装置において、献立の選択操作を受けるための操作部をさらに備え、前記通知部は、前記判定部により複数の献立を作ることができると判定された場合に、前記複数の献立を通知し、前記操作部への操作により、前記複数の献立からいずれかの献立が選択された場合、前記選択された献立の食材となる食料品を通知することを特徴とする献立提案装置。
【００１１】
この構成によれば、献立提案装置に収容された食料品から作ることができる複数の献立のうち、所望の献立に必要な食料品を簡単に知ることができる。
【００１２】
［適用例４］上記献立提案装置において、前記通知部は、前記作ることができる献立の食材となる食料品について、前記収容庫内における収容場所を通知することを特徴とする献立提案装置。
【００１３】
この構成によれば、所望の献立に必要な食料品の収容場所が通知されるので、ユーザーは、献立に必要な食料品を簡単に探し出すことができる。
【００１４】
［適用例５］食料品情報を記憶する無線タグがそれぞれに貼着された、１または複数の食料品を収容する収容庫と、前記収容庫とデータ通信可能な献立提案装置とを備えた献立提案システムであって、前記収容庫は、前記収容庫内の無線タグとの無線通信により、前記収容された各食料品の食料品情報を読み取る読取部と、前記食料品情報を送信する送信部とを備え、前記献立提案装置は、前記食料品情報を受信する受信部と、食材として必要となる食料品が献立ごとに登録されたデータベースと、前記データベースを参照して、前記読み取った食料品情報の食料品を用いて作ることができる献立を判定する判定部と、作ることができると判定された献立を通知する通知部と、を備えることを特徴とする献立提案システム。
【００１５】
この構成によれば、バーコードリーダの読み取りなどの煩わしい作業をユーザーが行うことなく、収容庫内の食料品から作ることができる献立がユーザーに通知されるので、ユーザーは、作ることができる献立の提案を簡単に受けることができる。
【００１６】
［適用例６］収容庫に収容された１または複数の食料品から作ることができる献立を提案する献立提案方法であって、前記１または複数の食料品のそれぞれには、食料品情報を記憶する無線タグが貼着されており、前記収容庫内の無線タグとの無線通信により、前記収容された各食料品の食料品情報を読み取る読取ステップと、食材として必要となる食料品が献立ごとに登録されたデータベースを参照して、前記読み取った食料品情報の食料品を用いて作ることができる献立を判定する判定ステップと、作ることができると判定された献立を通知する通知ステップと、を備えることを特徴とする献立提案方法。
【００１７】
このようにすれば、バーコードリーダの読み取りなどの煩わしい作業をユーザーが行うことなく、献立提案装置内の食料品から作ることができる献立がユーザーに通知されるので、ユーザーは、作ることができる献立の提案を簡単に受けることができる。
【発明を実施するための最良の形態】
【００１８】
以下、本発明の実施の形態について実施例に基づいて説明する。
【００１９】
（第１の実施例）
図１は、第１の実施例に係る冷蔵庫の構成を示した図である。図１に示すように、献立提案装置の一例である冷蔵庫１は、食料品貯蔵室（収容庫）１０と、無線タグ読取部（読取部）２０と、制御部３０と、ＬＣＤ（Liquid Crystal Display）等の表示部４０と、各種ボタン等からなる操作部５０とを備えている。なお、本実施例の冷蔵庫１は、食料品貯蔵室１０に収容された食料品で作ることができる献立をユーザーに提案しようとするものである。以下、冷蔵庫１の各構成について説明する。
【００２０】
食料品貯蔵室１０は、冷蔵保存の対象とする食料品を収容する部分である。また、食料品貯蔵室１０に収容される食料品ＦＤには、食料品の種別、消費期限、賞味期限、生産地等を示す食料品情報が記憶された記憶部、および記憶部の食料品情報を無線出力する回路等を有する無線タグＴＧが貼着されている。無線タグＴＧの記憶部には、ＥＥＰＲＯＭ、フラッシュメモリ、ＦｅＲＡＭ（Ferroelectric Random Access Memory）等の読み書き可能な不揮発性メモリが用いられており、販売店や製造メーカー等において、貼着対象となる食料品に対応する食料品情報が予め書き込まれている。
【００２１】
無線タグ読取部２０は、食料品貯蔵室１０内に設けられており、食料品貯蔵室１０内にある各無線タグＴＧとの無線通信を行うことにより、食料品貯蔵室１０内にある各食料品ＦＤの食料品情報を読み取る部分である。
【００２２】
制御部３０は、冷蔵庫１全体の動作を制御する部分であり、無線タグ読取部２０、表示部４０および操作部５０とのインターフェイスや、ＣＰＵ、ＲＯＭ、ＲＡＭ等から構成されている。具体的には、制御部３０は、表示部４０の表示処理、操作部５０へのユーザー操作に応じて冷蔵庫１を制御する処理、食料品貯蔵室１０の内部温度を制御する処理等を行う。また、制御部３０は、献立を提案する機能を実現するため、献立データベース（データベース）３１と、献立判定部（判定部）３２と、献立通知部（通知部）３３とを有する。
【００２３】
献立データベース３１は、複数の献立について、献立の種別ごとに食材として必要となる食料品を示した食材情報が登録されたデータベースである。例えば、図２に示す献立データベース３１では、「献立１」を作るためには「食料品Ａ」、「食料品Ｂ」および「食料品Ｄ」が必要であり、「献立２」を作るためには「食料品Ｂ」、「食料品Ｃ」、「食料品Ｄ」および「食料品Ｅ」が必要であり、「献立３」を作るためには「食料品Ａ」、「食料品Ｂ」および「食料品Ｃ」が必要である旨が食材情報に示されている。また、献立データベース３１には、食材情報とともに、献立の種別ごとの調理方法を示すレシピ情報が登録されている。なお、献立データベース３１に登録された食材情報やレシピ情報は予め登録されたものであるが、ユーザーが操作部５０への操作により、所望の献立について情報を追加することや、インターネット等を介して所定のサーバーからダウンロードした献立の情報を追加することが可能になっている。
【００２４】
献立判定部３２は、無線タグ読取部２０が取得した食料品情報と、献立データベース３１に登録された各献立の食材情報とを照合することによって、食料品貯蔵室１０に収容された食料品で作ることができる献立を判定する処理を行う。そして、献立通知部３３が、判定結果を表示部４０に表示させる処理を行うことにより、食料品貯蔵室１０内にある食料品ＦＤから作ることができる献立をユーザーに通知して、献立が提案される。
【００２５】
以上に説明した冷蔵庫１が、食料品貯蔵室１０内にある食料品ＦＤから作ることができる献立を提案する際の処理手順について図３のフローチャートに従って説明する。
【００２６】
例えば、ユーザーが操作部５０に対して所定の操作を行って、献立の提案を指示したとき等に、図３の処理が開始される。処理を開始すると、まず、制御部３０は、食料品貯蔵室１０内にある各無線タグＴＧとの無線通信を無線タグ読取部２０に行わせて、食料品貯蔵室１０内にある各食料品ＦＤから食料品情報を読み取らせる（ステップＳ１０）。図１に示す食料品貯蔵室１０の例では、ここで、食料品ＦＤａの食料品情報および食料品ＦＤｂの食料品情報が取得されて、食料品貯蔵室１０内に食料品ＦＤａおよび食料品ＦＤｂが収容されていることが把握される。
【００２７】
次に、献立判定部３２は、献立データベース３１を参照して、食料品貯蔵室１０内にある食料品ＦＤを用いて作ることができる献立を判定する処理を行う（ステップＳ２０）。ここでは、献立データベース３１に登録された献立のうち、食材として必要な食料品の全てが食料品貯蔵室１０内にあるものについて、作ることができる献立と判断する。例えば、図１の食料品貯蔵室１０に示すように、食料品ＦＤａおよび食料品ＦＤｂが収容されている場合であれば、図２に示した献立データベース３１に従って「献立１」および「献立３」を作ることが可能と判定される。
【００２８】
次に、献立通知部３３は、献立通知画面を表示部４０に表示させる（ステップＳ３０）。図４に例として示すように、献立通知画面ＭＧには、食料品貯蔵室１０内にある食材から作ることができる献立名が含まれており、これにより、ユーザーに献立が提案される。また、献立通知画面ＭＧには、作ることができると判断された献立のうちから、献立の選択を促すメッセージが含まれており、ユーザーは、操作部５０を操作することによって所望の献立を選択することができる。
【００２９】
次に、献立通知画面ＭＧにおいて献立の選択があったか否かを判断し（ステップＳ４０）、いずれかの献立が選択されていれば（ステップＳ４０：Ｙｅｓ）、献立通知部３３は、献立通知画面ＭＧに代えて、食材通知画面を表示部４０に表示させる（ステップＳ５０）。図５に例として示す食材通知画面ＦＧは、図４の献立通知画面ＭＧにおいて「献立１」が選択された場合の画面例であり、献立データベース３１の食材情報に従って、「献立１」を作るためには、食料品Ａおよび食料品Ｂが必要である旨が示されている。ユーザーは、食材通知画面ＦＧを確認することにより、所望の献立を作るための食料品を知ることができる。
【００３０】
また、食材通知画面ＦＧには、レシピ表示に切り替えるための切替ボタンＫＢが含まれている。操作部５０へのユーザー操作により切替ボタンＫＢが押下されると、献立通知部３３は、献立データベース３１から読み出したレシピ情報を表示部４０に表示させることによってレシピ表示に切り替わる。ユーザーは、食材通知画面ＦＧのレシピ表示を確認することにより、所望の献立を作るための調理方法を知ることができる。
【００３１】
食材通知画面ＦＧの表示後、または献立の選択がなかった場合（ステップＳ４０：Ｎｏ）、図３の処理を終了する。なお、ステップＳ１０の処理が読取ステップ、ステップＳ２０の処理が判定ステップ、ステップＳ３０の処理が通知ステップに相当する。
【００３２】
以上に述べたように、本実施例の冷蔵庫１では、食料品貯蔵室１０内に収容された食料品から作ることができる献立が表示パネルに表示されることによって、ユーザーに献立が提案される。したがって、ユーザーにとっては、冷蔵庫１に収容された食料品から作ることができる献立を簡単に知ることができるようになり、利便性を向上する。
【００３３】
また、特許文献１に記載の技術と異なり、収容しようとする食料品ごとに、ユーザーがバーコードリーダを用いてバーコードの読取作業を行う必要がないので、献立の提案を簡単に受けることができるとともに、食料品貯蔵室１０に収容する食料品をユーザーが重複して登録してしまうことや、バーコードの読取作業を忘れてしまって未登録のままになってしまうことがなくなる。このため、献立の提案を簡単且つ確実に行うことができる。
【００３４】
（第２の実施例）
次に、第２の実施例について説明する。第１の実施例では、選択された所望の献立に必要な食料品が食材通知画面ＦＧに表示されるようになっていたが、第２の実施例は、食材通知画面ＦＧにおいて食料品の収容場所を提示するものである。なお、以下では、第１の実施例と同様の構成については同じ符号を貼着し、詳細な説明は省略するものとする。
【００３５】
図６は、第２の実施例に係る冷蔵庫の構成を示した図である。図６に示すように、冷蔵庫２の食料品貯蔵室１０’は複数の区画に仕切られている。なお、本実施例では、図６に例として示すように、食料品貯蔵室１０’が上下方向に３つの区画（上方から順に、「上段の区画」、「中段の区画」、「下段の区画」という）に仕切られるものとする。
【００３６】
そして、食料品貯蔵室１０’の上段の区画には第１無線タグ読取部２０ａ、中段の区画には第２無線タグ読取部２０ｂ、下段の区画には第３無線タグ読取部２０ｃが設けられるとともに、無線タグ読取部からの電波は区画間を仕切る仕切板により遮断される。このため、第１無線タグ読取部２０ａが食料品情報を受信した場合、受信した食料品情報の食料品ＦＤは上段の区画にあることとなる。同様に、第２無線タグ読取部２０ｂが受信した食料品情報の食料品ＦＤは、中段の区画にあり、第３無線タグ読取部２０ｃが受信した食料品情報の食料品ＦＤは、下段の区画にあることとなる。
【００３７】
こうして、各食料品ＦＤの収容場所が判明し、食材通知画面ＦＧにおいては、食料品の名称とともに食料品の収容場所が示される。すなわち、図７に例として示すように、献立選択画面ＭＧにおいて「献立１」が選択されたときの食材通知画面ＦＧには、「献立１」に必要な食料品が、食料品Ａおよび食料品Ｂであり、食料品Ａは食料品貯蔵室１０’の上段の区画、食料品Ｂは中段の区画にある旨が表示される。
【００３８】
上述した第２の実施例によれば、ユーザーが所望する献立を作るために必要な食料品の収容場所が食材通知画面ＦＧに示されるので、ユーザーは、必要な食料品を簡単に探し出すことができ、ユーザーにとっての利便性をさらに向上させることができる。
【００３９】
（第３の実施例）
次に、第３の実施例について説明する。第１の実施例および第２の実施例では、冷蔵庫に献立を提案する機能が備わっていたが、第３の実施例では、献立の提案を行う献立提案装置が、冷蔵庫等の収容庫と別構成のシステムとする。
【００４０】
図８に、第３の実施例に係る献立提案システムの構成を示す。図８に示すように、献立提案システム３には、献立提案装置４と、冷蔵庫等の複数の食料品収容庫５とが含まれている。
【００４１】
各食料品収容庫５は、無線タグが貼着された食料品を収容する食料品貯蔵室１０と、無線タグ読取部２０と、送信部６０とを備えており、送信部６０は、無線タグから読み取った食料品情報を、無線通信またはネットワーク等を介して献立提案装置４に送信する。
【００４２】
一方、献立提案装置４には受信部３４が備わっており、献立提案装置４の受信部３４は、各食料品収容庫５からの食料品情報を受信する。そして、献立判定部３２は、受信した食料品情報により各食料品収容庫５に収容された食料品を把握し、複数の食料品収容庫５にある食料品から作ることができる献立を判定して、献立通知部３３がその献立を通知する。なお、献立を通知するとともに、その献立に必要となる食材が収容された食料品収容庫５を通知するようにしてもよい。
【００４３】
上述した第３の実施例によれば、献立提案システム３に含まれる複数の食料品収容庫５に収容された食料品から作ることができる献立の提案を行うことができる。
【００４４】
以上、第１の実施例ないし第３の実施例について説明したが、以下の変形例としてもよい。
【００４５】
（変形例１）第１の実施例ないし第３の実施例では、１つの冷蔵庫が１つの食料品貯蔵室を有した構成であったが、例えば、冷蔵室、冷凍室、野菜用冷蔵室など複数の食料品貯蔵室を備えた構成としてもよい。この場合、食料品貯蔵室ごとに無線タグ読取部を設けるようにして、献立に必要な食料品を収容した食料品貯蔵室を食材通知画面に表示するとよい。
【００４６】
（変形例２）第１の実施例ないし第３の実施例では、表示部に画面を表示することによって献立の提案をユーザーに通知するようにしたが、通知の形態としてはこれに限られることなく、音声出力等によって通知するようにしてもよい。
【００４７】
（変形例３）第１の実施例ないし第３の実施例では、食料品貯蔵室内に収容された食料品のみから作ることができる献立を提案するようにしたが、提案される献立は、食料品貯蔵室内にある食料品のみから作ることができるものに限られない。例えば、献立に必要な複数の食材のうち、少数の食料品が食料品貯蔵室内になく、不足していた場合、その献立名とともに、不足している食料品名を表示することによって、献立の提案を行うようにしてもよい。また、無線タグから取得した食料品情報に含まれる賞味期限や消費期限の情報を参照して、賞味期限や消費期限が過ぎた食料品については、その食料品を用いた献立を提案しないように管理してもよい。さらに、賞味期限や消費期限までの日数が近付いた食料品を用いた献立を優先的に提案することにより、賞味期限や消費期限が切れた食料品が生じないように管理してもよい。
【００４８】
（変形例４）第２の実施例では、食料品貯蔵室内に設けられた複数の無線タグ読取部を用いて、食料品の収容場所を特定するようにしたが、収容場所を特定する方法としては、これに限られない。例えば、無線タグの直上に位置するときに限って通信可能となるよう通信可能範囲を制限した無線タグ読取部を、食料品貯蔵室内においてスキャンさせ、無線タグから食料品情報を受信できたときの無線タグ読取部の位置に基づいて、食料品貯蔵室内の奥側であるか等、食料品の収容場所を特定して通知するようにしてもよい。
【図面の簡単な説明】
【００４９】
【図１】第１の実施例に係る冷蔵庫の構成を示した図。
【図２】献立データベースの一例を示した図。
【図３】献立を提案する際の処理手順を示したフローチャート。
【図４】献立通知画面の一例を示した図。
【図５】食材通知画面の一例を示した図。
【図６】第２の実施例に係る冷蔵庫の構成を示した図。
【図７】食材通知画面の一例を示した図。
【図８】第３の実施例に係る献立提案システムの構成を示した図。
【符号の説明】
【００５０】
１…第１の実施例に係る献立提案装置としての冷蔵庫、２…第２の実施例に係る献立提案装置としての冷蔵庫、３…第３の実施例に係る献立提案システム、１０…収容庫としての食料品貯蔵室、２０…無線タグ読取部、３０…制御部、３１…データベースとしての献立データベース、３２…判定部としての献立判定部、３３…通知部としての献立通知部、４０…表示部、５０…操作部、ＦＤ…食料品、ＴＧ…無線タグ、ＭＧ…献立通知画面、ＦＧ…食材通知画面。
【図１】
2009259015.tif 000003
【図２】
2009259015.tif 000004
【図３】
2009259015.tif 000005
【図４】
2009259015.tif 000006
【図５】
2009259015.tif 000007
【図６】
2009259015.tif 000008
【図７】
2009259015.tif 000009
【図８】
2009259015.tif 000010